(57)【要約】      （修正有）【課題】走行する原反シートの位置や幅の変動に合わせて，接着剤を塗布する位置を適宜調節する。【解決手段】接着剤塗布装置１００は，所定方向に搬送される原反シート１の表面に，接着剤２を塗布するノズル１０と，検出部２０と，位置調節部３０と，制御部４０と，を備え，ノズル１０は，供給部から供給された接着剤２を吐出する。検出部２０は，原反シートの側縁１Ｅの位置を検出する。位置調整部３０は，ノズル１０が接着剤２を吐出する位置を調節する。制御部４０は，検出部２０によって検出された原反シートの側縁１Ｅの位置の情報に基づいて，位置調節部３０を制御する。【選択図】図１
2015136639.tif 000002
【特許請求の範囲】
【請求項１】
所定方向に搬送される原反シート（１）の表面に，接着剤（２）を塗布するための接着剤塗布装置であって，
前記接着剤（２）を吐出するノズル（１０）と，
少なくとも前記原反シートの側縁（１Ｅ）の位置を検出する検出部（２０）と，
前記ノズル（１０）が前記接着剤（２）を吐出する位置を調節する位置調節部（３０）と，
少なくとも前記検出部（２０）によって検出された前記原反シートの側縁（１Ｅ）の位置の情報に基づいて，前記位置調節部（３０）を制御する制御部（４０）と，を備える
接着剤塗布装置。
【請求項２】
前記検出部（２０）は，前記ノズル（１０）よりも，前記原反シート（１）の搬送方向の下流に位置し，前記原反シートの側縁（１Ｅ）の位置を検出すると共に，前記ノズル（１０）から吐出された前記接着剤の側縁（２Ｅ）の位置を検出し，
前記制御部（４０）は，前記検出部（２０）によって検出された，前記原反シートの側縁（１Ｅ）の位置の情報と前記接着剤の側縁（２Ｅ）の位置の情報とに基づいて，前記位置調節部（３０）を制御する
請求項１に記載の接着剤塗布装置。
【請求項３】
前記制御部（４０）は，前記原反シートの側縁（１Ｅ）と前記接着剤の側縁（２Ｅ）との間の距離が一定値以下となるように，前記位置調節部（３０）を制御する
請求項２に記載の接着剤塗布装置。
【請求項４】
接着剤が塗布されたシート部材を含む吸収性物品の製造方法であって，
前記シート部材の原反シート（１）を，所定方向に搬送する搬送工程と，
前記原反シート（１）の表面に，接着剤（２）を，ノズル（１０）によって塗布する塗布工程と，
少なくとも前記原反シートの側縁（１Ｅ）の位置を，検出部（２０）によって検出する検出工程と，
前記検出部（２０）によって検出された前記原反シートの側縁（１Ｅ）の位置の情報に基づいて，位置調節部（３０）により，前記ノズル（１０）が前記接着剤（２）を吐出する位置を調節する位置調節工程と，を含む
吸収性物品の製造方法。
【発明の詳細な説明】
【技術分野】
【０００１】
本発明は，ホットメルト接着剤などの接着剤を塗布するための接着剤塗布装置，及びこの接着剤塗布装置を利用した吸収性物品の製造方法に関する。
【背景技術】
【０００２】
従来から，使い捨ておむつ等の吸収性物品の製造ラインでは，吸収性物品を構成するシート部材にホットメルト接着剤などの接着剤を塗布することが行われている。具体的には，不織布やフィルム等の原反シートを所定の走行経路で連続して搬送し，搬送している間に，原反シートの片面に対して接着剤を塗布することが行われている。
【０００３】
このような接着剤の塗布処理は，接着剤塗布装置により行われる。従来の接着剤塗布装置の概略は，図３（ａ）に示されている。図３（ａ）に示されるように，接着剤塗布装置１００は，供給部（図示省略）から流動性のある接着剤２をノズル１０へと供給し，このノズル１０を介して接着剤２を吐出する。ノズル１０は，原反シート１に対向する位置に配置されている。そして，ノズル１０を原反シート１に接触させた状態で，接着剤２をノズル１０から吐出することで，原反シート１の表面に接着剤２が塗布される。例えば，接着剤としてホットメルト接着剤が用いられる場合，供給部（図示省略）は，ホットメルト接着剤を１４０℃〜１６０℃程度に加熱して溶融させてから，ノズル１０に溶融したホットメルト接着剤を供給する。このような接着剤塗布装置は，例えば特許文献１〜３に開示されている。
【先行技術文献】
【特許文献】
【０００４】
【特許文献１】特開２０１２−０７１２４９号公報
【特許文献２】特開２０１２−０６６１８５号公報
【特許文献３】特開２００２−１０２７６５号公報
【発明の概要】
【発明が解決しようとする課題】
【０００５】
ところで，実際の吸収性物品の製造ラインにおいて，原反シート１は搬送ローラ（図示省略）等によって引っ張られることで走行しており，この走行する原反シート１の位置や幅には変動（ブレ）が発生することがある。このため，図３（ａ）に示されるように，原反シート１の側縁１Ｅに沿って接着剤２を塗布しようとする場合であっても，原反シート１の走行時における位置や幅の変動を考慮して，多少の寸法的なゆとり（クリアランス）を設定して，接着剤２を塗布する必要がある。すなわち，接着剤２が原反シート１の側縁１Ｅからはみ出すことを防止するためには，原反シート１の側縁１Ｅよりもある程度内側寄りの位置に，接着剤２を塗布する必要がある。このため，原反シート１の側縁１Ｅと接着剤の側縁２Ｅの間には，接着剤を塗布することができない領域が生じることとなっていた。
【０００６】
また，図３（ｂ）に示されるように，吸収性物品の製造ラインにおいては，接着剤２によって，原反シート１と被覆シート３を接合する工程がよく行われる。しかし，図３（ａ）に示した従来の接着剤塗布装置のように，原反シート１の表面に接着剤２を塗布する際に大きなクリアランスを必要する場合，原反シート１の側縁１Ｅと接着剤の側縁２Ｅの間に，接着剤が塗布されていない無駄なシート部分が発生する。このように，吸収性部品の製造過程において，接着剤が塗布されていない無駄な部分が形成されると，最終的に製造される製品に，シート部材同士の間が開いてしまうヒラヒラした部分が生じることとなり，この製品の見栄えが悪くなるという不具合があった。
【０００７】
このため，現在では，走行する原反シートの位置や幅の変動に応じて，接着剤を塗布する位置を適宜調節することで，原反シートの側縁のギリギリの位置にも接着剤を塗布することのできる接着剤塗布装置が求められている。また，シート部材の側縁近傍に接着剤が塗布されていない無駄な部分が生じることなく，見栄えの良い吸収性物品を製造するための方法が求められている。
【課題を解決するための手段】
【０００８】
そこで，本発明の発明者は，上記の従来発明の問題点を解決する手段について鋭意検討した結果，走行する原反シートの側縁の位置を適宜検出し，検出した情報に基づいて接着剤を吐出するノズルの位置を調節するという知見を得た。すなわち，原反シートの側縁の位置情報に基づいてノズルの位置を調節することで，原反シートの位置や幅が変動した場合であっても，この原反シートの側縁のギリギリの位置に接着剤を塗布することが可能になる。また，このような技術を利用すれば，シート部材に接着剤が塗布されていない無駄な部分が生じることを回避できるため，見栄えの良い吸収性物品を製造することが可能になる。そして，本発明者は，上記知見に基づけば，従来技術の課題を解決できることに想到し，本発明を完成させた。
具体的に説明すると，本発明は以下の構成を有する。
【０００９】
本発明の第１の側面は，接着剤塗布装置に関する。
本発明に係る接着剤塗布装置は，所定方向に搬送される原反シート１の表面に，接着剤２を塗布するための装置である。
本発明に係る接着剤塗布装置は，ノズル１０と，検出部２０と，位置調節部３０と，制御部４０と，を備える。
ノズル１０は，供給部（図示省略）から供給された接着剤２を吐出する。検出部２０は，少なくとも原反シートの側縁１Ｅの位置を検出する。位置調整部３０は，ノズル１０が接着剤２を吐出する位置を調節する。制御部４０は，少なくとも検出部２０によって検出された原反シートの側縁１Ｅの位置の情報に基づいて，位置調節部３０を制御する。
【００１０】
上記構成のように，走行する原反シート１の側縁１Ｅの位置を適宜検出し，検出した情報に基づいてノズル１０の位置を調節することで，原反シート１の位置や幅が変動した場合であっても，この側縁１Ｅのギリギリの位置に接着剤２を塗布することが可能になる。また，このような接着剤塗布装置を用いて吸収性物品を製造することで，接着剤が塗布されずにシート部材同士の間がヒラヒラと開いてしまう部分を無くすことができるため，製品の見栄えを良化することができる。
【００１１】
本発明の接着剤塗布装置において，検出部２０は，ノズル１０よりも，原反シート１の搬送方向の下流に位置することとしてもよい。この場合に，検出部２０は，原反シートの側縁１Ｅの位置を検出すると共に，ノズル１０から吐出された接着剤の側縁２Ｅの位置を検出することが好ましい。また，制御部４０は，検出部２０によって検出された，原反シートの側縁１Ｅの位置の情報と接着剤の側縁２Ｅの位置の情報とに基づいて，位置調節部３０を制御することが好ましい。
【００１２】
上記構成のように，ノズル１０が検出部２０の下流側に位置することで，検出部２０は，原反シートの側縁１Ｅの位置と接着剤の側縁２Ｅの位置とを検出することができる。そして，原反シートの側縁１Ｅと接着剤の側縁２Ｅの位置情報とに基づいて，ノズル１０による接着剤２の吐出位置を調整することで，例えば原反シートの側縁１Ｅから僅かな隙間を空けて接着剤２を塗布するといったような精密な制御を行うことが可能になる。また，例えば，原反シートの側縁１Ｅと接着剤の側縁２Ｅの間の距離を限りなくゼロに近づけることで，原反シートの側縁１Ｅのギリギリの位置に接着剤２をより確実に塗布することができる。
【００１３】
本発明の接着剤塗布装置において，制御部４０は，原反シートの側縁１Ｅと接着剤の側縁２Ｅとの間の距離が一定値以下となるように，位置調節部３０を制御することが好ましい。
【００１４】
上記構成のように，制御部４０が位置調整部３０を制御することで，原反シートの側縁１Ｅと接着剤の側縁２Ｅとの間の距離を所望の値に設定することができる。
【００１５】
本発明の第２の側面は，吸収性物品の製造方法に関する。第２の側面に係る製造方法は，基本的に，上述した第１の側面に係る接着剤塗布装置を利用して，使い捨ておむつなどの吸収性物品を製造する。
すなわち，本発明の第２の側面は，接着剤が塗布されたシート部材を含む吸収性物品の製造方法である。
本発明の製造方法は，搬送工程と，塗布工程と，検出工程と，位置調整工程と，を含む。
搬送工程は，シート部材の原反シート１を，所定方向に搬送する工程である。
塗布工程は，原反シート１の表面に，接着剤２を，ノズル１０によって塗布する塗布工程である。
検出工程は，少なくとも記原反シートの側縁１Ｅの位置を，検出部２０によって検出する検出工程である。
位置調整工程は，検出部２０によって検出された原反シートの側縁１Ｅの位置の情報に基づいて，位置調節部３０により，ノズル１０が接着剤２を吐出する位置を調節する工程とである。
【００１６】
上記工程に従って，使い捨ておむつなどの吸収性物品を製造することで，シート部材に接着剤が塗布されていない無駄な部分が生じることを回避できる。従って，本発明の製造方法によれば，見栄えの良い吸収性物品を製造することが可能になる。
【発明の効果】
【００１７】
本発明は，走行する原反シートの位置や幅の変動に応じて，接着剤を塗布する位置を適宜調節し，原反シートの側縁のギリギリの位置にも接着剤を塗布することのできる接着剤塗布装置を提供することができる。また，本発明は，シート部材の側縁近傍に接着剤が塗布されていない無駄な部分が生じることなく，見栄えの良い吸収性物品を製造するための方法を提供することができる。
【図面の簡単な説明】
【００１８】
【図１】図１は，本発明の接着剤塗布装置の概要を示した模式図である。
【図２】図２は，本発明の接着剤塗布装置の制御の例を示した模式図である。
【図３】図３は，従来の接着剤塗布装置の概要を示した模式図である。
【発明を実施するための形態】
【００１９】
以下，図面を用いて本発明を実施するための形態について説明する。本発明は，以下に説明する形態に限定されるものではなく，以下の形態から当業者が自明な範囲で適宜修正したものも含む。
なお，本願明細書において，「Ａ〜Ｂ」とは，Ａ以上Ｂ以下であることを意味する。
【００２０】
図１は，本発明の一実施形態に係る接着剤塗布装置１００の概要を示した模式図である。本発明の接着剤塗布装置１００は，例えば，使い捨ておむつや，吸収パッド，生理用ナプキンなどの吸収性物品を製造するための製造ラインにおいて，好適に利用することができる。吸収性物品は，着用者の股下部分に装着されて，尿などの排泄物を吸収し保持するための衣料品である。吸収性物品を製造する工程の一部には，吸収性物品を構成するシート部材に，ホットメルト接着剤などの接着剤を塗布する工程が含まれる。本発明の接着剤塗布装置１００は，この接着剤を塗布するための工程において用いられる。その他の吸収性物品の製造工程や，吸収性物品の具体的な構成は，公知の工程や構成を適宜参照することができる。
【００２１】
図１に示されるように，本発明に係る接着剤塗布装置１００は，装置の上流側から下流側に向かって一定方向に搬送される長尺の原反シート１に対し，接着剤２を塗布する。図１に示された例において，接着剤塗布装置１００は，帯状の原反シート１の左右両側の側縁１Ｅに，接着剤２を塗布するための構成を有している。ただし，接着剤塗布装置１００は，原反シート１の片側の側縁１Ｅに接着剤２を塗布するものであってもよい。
【００２２】
図１に示されるように，装置の上流側には，ノズル１０が設けられる。ノズル１０は，接着剤２を吐出ための器具である。ノズル１０には，図示しない供給部によって流動性のある接着剤が供給される。例えば，原反シート１に対してホットメルト接着剤を塗布する場合において，供給部（図示省略）は，ホットメルト接着剤の固体原料を加熱（約１４０℃〜１６０℃）して溶融させ，流動性のある状態としてから，ノズル１０に供給する。ノズル１０は，図１に示されるように，流動性のあるホットメルト接着剤２を落下させて，ノズル１０の下方に位置する原反シート１に塗布していく。ノズル１０の吐出口は，原反シート１に接触していることが好ましい。ノズル１０を介して接着剤２を吐出することにより，原反シート１には，その搬送方向に沿って延びる帯状に接着剤２のラインが形成される。なお，ノズル１０から吐出される接着剤は，ホットメルト接着剤に限られず，その他公知の流動性のある接着剤を用いることができる。
【００２３】
図１に示されるように，ノズル１０の下流側には，検出部２０が設けられている。検出部２０は，少なくとも原反シート１の側縁１Ｅの位置を検出するためのセンサを有する。ここにいう，原反シート１の側縁１Ｅとは，原反シート１の幅方向の縁（エッジ）である。なお，ここにいう「幅方向」とは，原反シート１の搬送方向（図１の矢印で示された方向）と平面的に直交する方向を意味している。検出部２０は，少なくとも，原反シート１の左右両側の側縁のうち，接着剤２が塗布される側の側縁のみの位置を検出するものであればよい。図１に示された実施形態では，原反シート１の左右両側の側縁１Ｅに接着剤２が塗布されているため，検出部２０は，原反シート１の左右両側の側縁１Ｅの位置を検出する構成となっている。検出部２０が原反シート１の側縁１Ｅの位置を検出する方法は，公知の方法を用いればよい。例えば，検出部２０は，非接触的又は接触的に，原反シート１の側縁１Ｅの位置を検出できる。例えば，非接触的に側縁１Ｅの位置を検出するためには，赤外線センサ，超音波センサ，又は画像センサ等の公知のセンサを利用することができる。また，接触的に側縁１Ｅの位置を検出するためには，公知の感圧式や変位式の接触センサを利用することができる。検出部２０により取得された情報は，制御部４０へと送出される。
【００２４】
図１に示されるように，ノズル１０には，位置調整部３０が取り付けられている。位置調整部３０は，ノズル１０が接着剤２を吐出する位置を調節するための機構である。図１に示された実施形態において，位置調整部３０は，ノズル１０の位置をスライドさせるレールを備えた構成となっている。例えば，位置調整部３０は，原反シート１の幅方向に沿ってノズル１０をスライドさせて，接着剤２を吐出する位置を調節することができる。このように，本発明において，位置調節部３０は，ノズル１０自体の位置を，原反シート１の幅方向に沿って移動させて調節するものであることが好ましい。ただし，位置調整部３０の構成は，図１に示されたレールの構成に限定されない。例えば，図示は省略するが，位置調整部３０は，ノズル１０の位置自体は変動させずに，ノズル１０の吐出口の向きを変動させることで，ノズル１０が接着剤２を吐出する位置を調節する構成であってもよい。位置調整部３０によるノズル１０の位置の調整は，制御部４０による制御に従って行われる。
【００２５】
図１に示されるように，接着剤塗布装置１００は，さらに，制御部４０を備える。制御部４０は，検出部２０からの情報に基づいて，位置調整部３０を制御するための命令を生成し，この命令を位置調整部３０へと送出する。位置調整部３０は，制御部４０からの命令に従って，ノズル１０の位置を調整する。制御部４０は，パーソナルコンピュータ（ＰＣ）などの公知の演算装置によって構成すればよい。
【００２６】
具体的に説明すると，制御部４０は，位置調整部３０に接続されていることから，位置調整部３０によって調整されたノズル１０の位置を予め把握している。ここで，制御部４０は，検出部２０から原反シート１の側縁１Ｅの位置に関する情報を受け取ると，この原反シート１の側縁１Ｅの位置情報とノズル１０の位置情報とに基づいて，ノズル１０による接着剤２の吐出位置を決定する。そして，制御部４０は，その決定した吐出位置の情報を位置調整部３０に伝達する。例えば，制御部４０は，ノズル１０による接着剤２の吐出位置が，原反シート１の側縁１Ｅから所定範囲内に入るように，吐出位置を決定すればよい。例えば，制御部４０は，接着剤２の吐出位置が原反シート１の側縁１Ｅと重なるようにしてもよいし，接着剤２の吐出位置が原反シートの側縁１Ｅの位置から０ｍｍ〜１０ｍｍ以内又は０．５ｍｍ〜５ｍｍ以内となるように調整してもよい。本発明では，このようにして原反シート１の側縁１Ｅの位置を検出し，そのフィードバックを受けて，ノズル１０による接着剤２の吐出位置を決定する。本発明のように，原反シート１の側縁１Ｅの位置情報に基づいて，ノズル１０の位置を調節することで，走行する原反シート１の位置や幅が変動した場合であっても，この原反シート１の側縁のギリギリの位置に接着剤２を塗布することが可能になる。
【００２７】
図２は，本発明の接着剤塗布装置１００の好ましい実施形態を示している。図２は，接着剤塗布装置１００を平面的に見た図である。
図２に示された実施形態において，検出部２０は，原反シート１の側縁１Ｅの位置と共に，ノズル１０を介して塗布された接着剤２の側縁２Ｅの位置を検出することとしている。ここにいう，接着剤２の側縁２Ｅとは，少なくとも，帯状に形成された接着剤２の左右両側の側縁のうち，原反シート１の側縁１Ｅと近い方の側縁を意味している。
【００２８】
例えば，検出部２０は，原反シート１の側縁１Ｅの位置を検出するための第１センサ２１と，接着剤２の側縁２Ｅの位置を検出するための第２センサ２２と，を有するものであってもよい。第１センサ２１は，上述したように，赤外線センサ，超音波センサ，又は画像センサ等の非接触式のセンサ，若しくは感圧式や変位式等の接触センサにより，原反シート１の側縁１Ｅの位置を検出すればよい。他方，第２センサ２２は，例えば，原反シート１と接着剤２の色差を検出する画像センサ等により，接着剤２の側縁２Ｅの位置を検出するものであってもよい。例えば，原反シート１と接着剤２の色差を明確にするために，接着剤２は半透明又は不透明なものであることが好ましく，着色を施されたものであることがより好ましい。その他，第２センサ２２は，原反シート１と接着剤２の温度差を検出することにより，接着剤２の側縁２Ｅの位置を検出することとしてもよい。また，第２センサ２２は，例えば，原反シート１と接着剤２とで吸収する光の波長が異なることを考慮して，これらに光を照射し反射された反射光の波長を測定するような光学式のセンサであってもよい。このようにして，検出部２０は，原反シート１の側縁１Ｅの位置と共に，ノズル１０を介して塗布された接着剤２の側縁２Ｅの位置を検出することができる。検出部２０によって検出されたこれらの情報は，制御部４０へと創出される。なお，検出部２０は，一つのセンサによって，原反シート１の側縁１Ｅの位置と接着剤２の側縁２Ｅの位置を同時に検出するものであってもよい。
【００２９】
制御部４０は，検出部２０から原反シート１の側縁１Ｅと接着剤２の側縁２Ｅの位置情報を取得すると，原反シート１の側縁１Ｅと接着剤２の側縁２Ｅの間の距離Ｄを求める。そして，制御部４０は，原反シート１の側縁１Ｅと接着剤２の側縁２Ｅの間の距離Ｄの値に基づいて，位置調整部３０を制御するための命令を生成する。具体的には，制御部４０は，距離Ｄが一定値以下となるように，位置調整部３０を制御する。例えば，制御部４０は，距離Ｄが０ｍｍ〜１０ｍｍ以内又は０．５ｍｍ〜５ｍｍ以内となるように，位置調整部３０を制御して，ノズル１０による接着剤２の吐出位置を調節することが好ましい。特に，制御部４０は，距離Ｄが０〜１ｍｍとなるように，接着剤２の吐出位置を調節することが好ましい。このように，原反シート１の側縁１Ｅと接着剤２の側縁２Ｅの間の距離Ｄを限りなくゼロに近づけることで，例えば吸収性物品を製造する際に，接着剤２が塗布されずにシート部材同士の間がヒラヒラと開いてしまう部分を無くすことができる。これにより，本発明の接着剤塗布装置１００を利用すれば，吸収性物品の見栄えを良化することができる。
【００３０】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【００３１】
例えば，上述した実施形態においては，原反シートの側縁の位置を検出する検出部が，ノズルの下流側に位置する形態について説明した。ただし，この検出部は，ノズルの上流側に配置されて，原反シートの側縁の位置を検出するものであってもよい。
【産業上の利用可能性】
【００３２】
本発明は，接着剤塗布装置及びそれを利用した吸収性物品の製造方法に関する。従って，本発明は，使い捨ておむつなどの吸収性物品の製造業において好適に利用し得る。
【符号の説明】
【００３３】
１…原反シート        １Ｅ…原反シートの側縁    ２…接着剤
２Ｅ…接着剤の側縁    ３…被覆シート            １０…ノズル
２０…検出部          ２１…第１センサ          ２２…第２センサ
３０…位置調整部      ４０…制御部              １００…接着剤塗布装置
【図１】
2015136639.tif 000003
【図２】
2015136639.tif 000004
【図３】
2015136639.tif 000005